(57)【要約】【課題】利用者にとって利便性に優れたメモリカード差込口を持つ複合機を提供する。【解決手段】タッチパネル及びハードウェアボタンが配置された操作パネル部を備え、前記タッチパネルに配置された最大サイズのソフトウェアキー又は前記操作パネル部に配置された最大サイズのハードウェアボタンに対して所定の関係にある前記操作パネル部に外部記録媒体差込口が配置された。【選択図】図２
2020136934.tif 000002
【特許請求の範囲】
【請求項１】
タッチパネル及びハードウェアボタンが配置された操作パネル部を備え、
前記タッチパネルに配置された最大サイズのソフトウェアキー又は前記操作パネル部に配置された最大サイズのハードウェアボタンに対して所定の関係にある前記操作パネル部に外部記録媒体差込口が配置されたことを特徴とする複合機。
【請求項２】
請求項１に記載の複合機であって、
前記タッチパネルに配設された最大サイズのソフトウェアキーに隣接する前記操作パネル部の正面の位置に外部記録媒体差込口を備えることを特徴とする複合機。
【請求項３】
請求項１に記載の複合機であって、
前記タッチパネルに配設された最大サイズのソフトウェアキー及び前記タッチパネルに配設されたプレビュー領域に隣接する前記操作パネル部の正面の位置に外部記録媒体差込口を備えることを特徴とする複合機。
【請求項４】
請求項１に記載の複合機であって、
前記タッチパネルに配設された最大サイズのソフトウェアキー及び前記タッチパネルに配設されたプレビュー領域に隣接する前記タッチパネル上の位置に外部記録媒体差込口を備えることを特徴とする複合機。
【請求項５】
請求項１に記載の複合機であって、
前記タッチパネルに配設されたプレビュー領域に隣接する前記操作パネル部の正面の位置に外部記録媒体差込口を備えることを特徴とする複合機。
【請求項６】
請求項１に記載の複合機であって、
前記操作パネル部の正面に配置される最大サイズのハードウェアボタンに隣接する前記操作パネル部の正面の位置に外部記録媒体差込口を備えることを特徴とする複合機。
【請求項７】
請求項１に記載の複合機であって、
前記タッチパネルに配置される最大サイズのソフトウェアキーに隣接する前記操作パネル部の側面の位置に外部記録媒体差込口を備えることを特徴とする複合機。
【請求項８】
請求項１に記載の複合機であって、
前記操作パネル部の正面に配置される最大サイズのハードウェアボタンに隣接する前記操作パネル部の側面の位置に外部記録媒体差込口を備えることを特徴とする複合機。
【請求項９】
請求項１に記載の複合機であって、
前記タッチパネルに配置される最大サイズのソフトウェアキーに隣接し、且つ、前記操作パネル部の正面に配置される最大サイズのハードウェアボタンに隣接する前記操作パネル部の正面の位置に外部記録媒体差込口を備えることを特徴とする複合機。
【請求項１０】
請求項１乃至９の何れか１項に記載の複合機であって、
前記外部記録媒体差込口にメモリが差し込まれたならば、前記タッチパネルに配置される最大サイズのソフトウェアキーの表示態様が変化することを特徴とする複合機。
【請求項１１】
請求項１乃至１０の何れか１項に記載の複合機であって、
前記外部記録媒体差込口にメモリが差し込まれたならば、前記操作パネル部に配置される最大サイズのハードウェアボタンの表示態様が変化することを特徴とする複合機。
【請求項１２】
請求項１乃至１１の何れか１項に記載の複合機であって、
前記外部記録媒体差込口にメモリが差し込まれたならば、前記タッチパネルにそれを示す表示オブジェクトが表示されることを特徴とする複合機。
【請求項１３】
請求項１乃至１２の何れか１項に記載の複合機であって、
前記外部記録媒体差込口にメモリに関連した所定のジョブが終了したならば、前記タッチパネルにそれを示すメッセージが表示されることを特徴とする複合機。
【請求項１４】
請求項１乃至１３の何れか１項に記載の複合機であって、
前記外部記録媒体差込口にメモリに関連した所定のジョブが終了したならば、前記タッチパネルにそれを示すメッセージが音声出力されることを特徴とする複合機。
【請求項１５】
請求項１乃至１４の何れか１項に記載の複合機であって、
前記操作パネル部は、ティルト可能であることを特徴とする複合機。
【請求項１６】
請求項１乃至１５の何れか１項に記載の複合機であって、
前記外部記録媒体差込口を入り口とするメモリ挿入部は、前記操作パネル部の側面から見て正面から底面に進むに従って、手前側から奥側に進むように配設されていることを特徴とする複合機。
【請求項１７】
請求項１乃至１６の何れか１項に記載の複合機であって、
前記操作パネル部は、前記複合機の正面から見て中央部に配設されたことを特徴とする複合機。
【請求項１８】
請求項１乃至１６の何れか１項に記載の複合機であって、
前記操作パネル部は、前記複合機の正面中央付近の上部から前記複合機の上面中央付近に手前部にかけて配設されたことを特徴とする複合機。
【請求項１９】
請求項１７又は１８に記載の複合機であって、
前記操作パネル部は、前記複合機に設けられた排紙部を避けるように配設されたことを特徴とする複合機。
【請求項２０】
請求項１乃至１９の何れか１項に記載の複合機であって、
前記メモリ差込部は、前記操作パネル部の正面の色とは異なる色を有する周辺部により囲まれていることを特徴とする複合機。
【請求項２１】
請求項２０に記載の複合機であって、
前記周辺部の色は、前記複合機の本体の色と同一であることを特徴とする複合機。
【請求項２２】
請求項１乃至２１の何れか１項に記載の複合機であって、
前記メモリ差込部は、前記操作パネル部に設けられた凹部に備わることを特徴とする複合機。
【発明の詳細な説明】
【技術分野】
【０００１】
本発明は、複合機に関する。
【背景技術】
【０００２】
複合機とは、画像読取装置、画像形成装置、ファクシミリ送受信装置、記憶装置などを備え、画像読取り、画像印刷、画像複写、画像送信などをすることができる装置のことである。そして、ある程度の割合の複合機は、ＵＳＢ(Universal Serial Bus)差込口などの外部記録媒体差込口を有する。複合機は、ＵＳＢ差込口に挿入されたＵＳＢメモリから、画像データファイル、文書ファイルなどを読み込み、それらをもとに画像や文書の印刷をすることができる。
【先行技術文献】
【特許文献】
【０００３】
【特許文献１】特許第４２３３２９３号公報
【発明の概要】
【発明が解決しようとする課題】
【０００４】
これまでのＵＳＢメモリ差込口などのメモリは、本体の前面や側面など操作パネルとは離れた位置に設けられることが多かった。このため、利用者がＵＳＢメモリ差込口にＵＳＢメモリを差し込んで所用が終わった後にそこから取り忘れることで、ＵＳＢメモリに記録されている情報が他人へ漏洩する危険性があった。
【０００５】
なお、これは、ＵＳＢ差込口に限ったことではなく、ＳＤカードメモリ差込口、コンパクトフラッシ（登録商標）ュメモリ差込口、マルチメディアメモリカード差込口などの他の種類の外部記録媒体差込口についても同様なことである。
【０００６】
そこで、本発明は、利用者が差し込んだメモリカードを使用後に取り忘れることを回避できる外部記録媒体差込口を持つ複合機を提供することを目的とする。
【課題を解決するための手段】
【０００７】
本発明によれば、タッチパネル及びハードウェアボタンが配置された操作パネル部を備え、前記タッチパネルに配置された最大サイズのソフトウェアキー又は前記操作パネル部に配置された最大サイズのハードウェアボタンに対して所定の関係にある前記操作パネル部に外部記録媒体差込口が配置されたことを特徴とする複合機が提供される。
【発明の効果】
【０００８】
本発明によれば、利用者が外部記録媒体差込口に差し込んだメモリを視認しやすくなるので利用者が差し込んだメモリカードを使用後に取り忘れることを回避できる。
【図面の簡単な説明】
【０００９】
【図１】本発明の第１の実施の形態による複合機の構成を示す正面図、上面図及び右側面図である。
【図２】本発明の第１の実施の形態による複合機の操作パネル部の構成を示す正面図、前面図及び右側面図である。
【図３】本発明の第２の実施の形態による複合機の操作パネル部の構成を示す平面図、前面図及び右側面図である。
【図４】本発明の第３の実施の形態による複合機の操作パネル部の構成を示す平面図、前面図及び右側面図である。
【図５】本発明の第４の実施の形態による複合機の操作パネル部付近の構成を示す平面図、前面図及び右側面図である。
【図６】本発明の第５の実施の形態による複合機の操作パネル部付近の構成を示す平面図、前面図及び右側面図である。
【図７】本発明の第６の実施の形態による複合機の複合機の操作パネル部の構成を示す平面図、前面図及び右側面図である。
【図８】本発明の第７の実施の形態による複合機の操作パネル部の構成を示す平面図、前面図及び右側面図である。
【図９】本発明の第８の実施の形態による複合機の操作パネル部の構成を示す平面図、前面図及び右側面図である。
【図１０】本発明の第９の実施の形態による複合機の操作パネル部の構成を示す平面図、前面図及び右側面図である。
【図１１】本発明の第１０の実施の形態による複合機の操作パネル部の構成を示す平面図、前面図及び右側面図である。
【図１２】本発明の第１１の実施の形態による複合機の操作パネル部の構成を示す平面図、前面図及び右側面図である。
【図１３】本発明の第１２の実施の形態による複合機の操作パネル部の構成を示す平面図、前面図及び右側面図である。
【図１４】本発明の第１３の実施の形態による複合機の構成を示す右側面図である。
【図１５】本発明の第１４の実施の形態による複合機の操作パネル部の構成を示す平面図、前面図及び右側面図である。
【図１６】本発明の第１５の実施の形態による複合機の操作パネル部の構成を示す平面図、前面図及び右側面図である。
【図１７】本発明の第１６の実施の形態による複合機の操作パネル部の構成を示す平面図、前面図及び右側面図である。
【図１８】本発明の第１７の実施の形態による複合機の操作パネル部の構成を示す平面図、前面図及び右側面図である。
【図１９】本発明の第１８の実施の形態による複合機の構成を示す正面図、上面図及び右側面図である。
【図２０】本発明の第１８の実施の形態による複合機の他の構成を示す正面図、上面図及び右側面図である。
【図２１】本発明の第１９の実施の形態による複合機の構成を示す正面図、上面図及び右側面図である。
【図２２】本発明の第１９の実施の形態による複合機の他の構成を示す正面図、上面図及び右側面図である。
【図２３】本発明の第２０の実施の形態による複合機の構成を示す正面図、複合機の操作パネル部の構成を示す平面図、前面図及び右側面図並びにＵＳＢ差込口の拡大図である。
【図２４】本発明の第２１の実施の形態による複合機の構成を示す正面図、複合機の操作パネル部の構成を示す平面図、前面図及び右側面図並びにＵＳＢ差込口の拡大図である。
【図２５】本発明の第２２の実施の形態による複合機の構成を示す正面図、上面図及び右側面図である。
【図２６】本発明の第２３の実施の形態による複合機の構成を示す正面図、上面図及び右側面図である。
【図２７】本発明の第２４の実施の形態による複合機の構成を示す正面図、上面図及び右側面図である。
【図２８】本発明の第２５の実施の形態による複合機の構成を示す正面図、上面図及び右側面図である。
【図２９】本発明の第２６の実施の形態による複合機の構成を示す正面図、上面図及び右側面図である。
【図３０】本発明の第２７の実施の形態による複合機の概念的断面図である。
【図３１】本発明の第２７の実施の形態による複合機の機能ブロック図である。
【発明を実施するための形態】
【００１０】
以下、図面を参照して本発明を実施するための形態について詳細に説明する。
【００１１】
［第１の実施の形態］
第１の実施の形態では、図１に示すように、本体８３０の前面右側最上方に操作パネル部８４３が設けられている。また、図２に示すように、操作パネル８４３の正面には、タッチパネル３００、ホーム画面ボタン３１１及び電源ボタン３１３が配設されている。
【００１２】
タッチパネル３００には、表示領域３０１とタッチ領域３０２が設けられている。図２の例では、表示領域３０１の外縁付近を除いた部分にタッチ領域３０２が設けられているが、表示領域３０１とタッチ領域３０２が同一であってもよいし、図２の例とは逆に、タッチ領域３０２の外縁付近を除いた部分に表示領域３０１が設けられていてもよい。表示領域３０１とタッチ領域３０２のこのような関係は他の実施形態でも同様である。
【００１３】
タッチパネル３００には、コピーキー３０３、プレビュー領域３０５、設定キー群３０７及びジョブキー群３０９が設けられている。
【００１４】
設定キー群３０７は、カラーモードキー、原稿キー、コピー濃度キー、倍率キー、用紙キーを含む。ジョブキー群３０９は、プログラム呼び出しキー、印刷と同時に送信キーを含む。
【００１５】
ここで、ホーム画面ボタン３１１及び電源ボタン３１３はハードウェアボタンであり、コピーキー３０３、設定キー群３０７に含まれる各キー、ジョブキー群３０９に含まれる各キーはソフトウェアキーである。
【００１６】
また、操作パネル８４３の正面において、タッチパネル３００の周辺部にＵＳＢ差込口３２１が配設されている。特に、タッチパネル３００に配置される全てのソフトウェアキーのうちで、ＵＳＢ差込口３２１に最も近接するソフトウェアキーがタッチパネル３００に配置される全てのソフトウェアキーのうちで最も大きなソフトウェアキーになるように、ＵＳＢ差込口３２１の配設位置が選択される。具体的には、操作パネル３００に配置されるコピーキー３０３、設定キー群３０７に含まれる各キー及びジョブキー群３０９に含まれる各キーのうちで、ＵＳＢ差込口３２１に最も近接するソフトウェアキーが操作パネル３００に配置される全てのソフトウェアキーのうちで最も大きなソフトウェアキーであるコピーキー３０３になるように、ＵＳＢ差込口３２１の配設位置が調整される。
【００１７】
［第２の実施の形態］
第２の実施の形態によるタッチパネル３００の正面、前側面及び右側面は、図３に示すようになる。
【００１８】
第２の実施の形態においても、第１の実施の形態と同様に、操作パネル８４３の正面において、タッチパネル３００の周辺部にＵＳＢ差込口３２１が配設されている。特に、タッチパネル３００に配置される全てのソフトウェアキーのうちで、ＵＳＢ差込口３２１に最も近接するソフトウェアキーがタッチパネル３００に配置される全てのソフトウェアキーのうちで最も大きなソフトウェアキーになるように、ＵＳＢ差込口３２１の配設位置が選択される。具体的には、操作パネル３００に配置されるコピーキー３０３、設定キー群３０７に含まれる各キー及びジョブキー群３０９に含まれる各キーのうちで、ＵＳＢ差込口３２１に最も近接するソフトウェアキーが操作パネル３００に配置される全てのソフトウェアキーのうちで最も大きなソフトウェアキーであるコピーキー３０３になるように、ＵＳＢ差込口３２１の配設位置が調整される。
【００１９】
第１の実施の形態では、ＵＳＢ差込口３２１は、タッチパネル３００の下辺の近傍に配設されるが、第２の実施の形態では、ＵＳＢ差込口３２１は、タッチパネル３００の右辺の近傍に配設される。
【００２０】
［第３の実施の形態］
第３の実施の形態によるタッチパネル３００の正面、前側面及び右側面は、図４に示すようなものになる。
【００２１】
第３の実施の形態においては、操作パネル８４３の正面において、タッチパネル３００以外の領域にＵＳＢ差込口３２１が配設されている。特に、操作パネル８４３に備わる全てのハードボタンのうちで、ＵＳＢ差込口３２１に最も近接するボタンが操作パネル８４３に備わるホーム画面ボタン３１１、電源ボタン３１３ハードボタンのうちで最も大きなボタンになるように、ＵＳＢ差込口３２１の配設位置が選択される。具体的には、操作パネル８４３に備わるホーム画面ボタン３１１及び電源ボタン３１３のうちで、ＵＳＢ差込口３２１に最も近接するボタンが操作パネル８４３に備わるホーム画面ボタン３１１及び電源ボタン３１３のうちで最も大きなボタンであるホーム画面ボタン３１１になるように、ＵＳＢ差込口３２１の配設位置が選択される。
【００２２】
［第４の実施の形態］
第４の実施の形態によるタッチパネル３００の正面、前側面及び右側面は、図５に示すようなものになる。
【００２３】
第４の実施の形態においては、操作パネル８４３の正面において、タッチパネル３００以外の領域にＵＳＢ差込口３２１が配設されている。特に、操作パネル８４３に備わる全てのハードボタンのうちで、ＵＳＢ差込口３２１に最も近接するボタンが操作パネル８４３に備わるホーム画面ボタン３１１、電源ボタン３１３ハードボタンのうちで最も大きなボタンになるように、ＵＳＢ差込口３２１の配設位置が選択される。具体的には、操作パネル８４３に備わるホーム画面ボタン３１１及び電源ボタン３１３のうちで、ＵＳＢ差込口３２１に最も近接するボタンが操作パネル８４３に備わるホーム画面ボタン３１１及び電源ボタン３１３のうちで最も大きなボタンであるホーム画面ボタン３１１になるように、ＵＳＢ差込口３２１の配設位置が選択される。
【００２４】
第３の実施の形態では、ＵＳＢ差込口３２１は、ホーム画面ボタン３１１の下側に配設されるが、第４の実施の形態では、ＵＳＢ差込口３２１は、ホーム画面ボタン３１１の上側に配設される。
【００２５】
［第５の実施の形態］
第５の実施の形態によるタッチパネル３００の正面、前側面及び右側面は、図６に示すようになる。
【００２６】
第５の実施の形態においては、操作パネル８４３の手前側面において、タッチパネル３００の周辺部にＵＳＢ差込口３２１が配設されている。特に、タッチパネル３００に配置される全てのソフトウェアキーのうちで、ＵＳＢ差込口３２１に最も近接するソフトウェアキーがタッチパネル３００に配置される全てのソフトウェアキーのうちで最も大きなソフトウェアキーになるように、ＵＳＢ差込口３２１の配設位置が選択される。具体的には、操作パネル３００に配置されるコピーキー３０３、設定キー群３０７に含まれる各キー及びジョブキー群３０９に含まれる各キーのうちで、ＵＳＢ差込口３２１に最も近接するソフトウェアキーが操作パネル３００に配置される全てのソフトウェアキーのうちで最も大きなソフトウェアキーであるコピーキー３０３になるように、ＵＳＢ差込口３２１の配設位置が調整される。
【００２７】
［第６の実施の形態］
第６の実施の形態によるタッチパネル３００の正面、前側面及び右側面は、図７に示すようになる。
【００２８】
第６の実施の形態においては、操作パネル８４３の右側面において、タッチパネル３００の周辺部にＵＳＢ差込口３２１が配設されている。特に、タッチパネル３００に配置される全てのソフトウェアキーのうちで、ＵＳＢ差込口３２１に最も近接するソフトウェアキーがタッチパネル３００に配置される全てのソフトウェアキーのうちで最も大きなソフトウェアキーになるように、ＵＳＢ差込口３２１の配設位置が選択される。具体的には、操作パネル３００に配置されるコピーキー３０３、設定キー群３０７に含まれる各キー及びジョブキー群３０９に含まれる各キーのうちで、ＵＳＢ差込口３２１に最も近接するソフトウェアキーが操作パネル３００に配置される全てのソフトウェアキーのうちで最も大きなソフトウェアキーであるコピーキー３０３になるように、ＵＳＢ差込口３２１の配設位置が調整される。
【００２９】
［第７の実施の形態］
第７の実施の形態によるタッチパネル３００の正面、前側面及び右側面は、図８に示すようなものになる。
【００３０】
第３の実施の形態においては、操作パネル８４３の右側面において、タッチパネル３００以外の領域にＵＳＢ差込口３２１が配設されている。特に、操作パネル８４３に備わる全てのハードボタンのうちで、ＵＳＢ差込口３２１に最も近接するボタンが操作パネル８４３に備わるホーム画面ボタン３１１、電源ボタン３１３ハードボタンのうちで最も大きなボタンになるように、ＵＳＢ差込口３２１の配設位置が選択される。具体的には、操作パネル８４３に備わるホーム画面ボタン３１１及び電源ボタン３１３のうちで、ＵＳＢ差込口３２１に最も近接するボタンが操作パネル８４３に備わるホーム画面ボタン３１１及び電源ボタン３１３のうちで最も大きなボタンであるホーム画面ボタン３１１になるように、ＵＳＢ差込口３２１の配設位置が選択される。
【００３１】
［第８の実施の形態］
第８の実施の形態によるタッチパネル３００の正面、前側面及び右側面は、図９に示すようなものになる。
【００３２】
第８の実施の形態においては、操作パネル８４３の正面において、タッチパネル３００以外の領域にＵＳＢ差込口３２１が配設されている。特に、次の２つの条件が満たされるように、ＵＳＢ差込口３２１の配設位置が選択される。１つめの条件は、タッチパネル３００に配置される全てのソフトウェアキーのうちで、ＵＳＢ差込口３２１に最も近接するソフトウェアキーがタッチパネル３００に配置される全てのソフトウェアキーのうちで最も大きなソフトウェアキーになることである。２つめの条件は、操作パネル８４３に備わる全てのハードボタンのうちで、ＵＳＢ差込口３２１に最も近接するボタンが操作パネル８４３に備わるホーム画面ボタン３１１、電源ボタン３１３ハードボタンのうちで最も大きなボタンになることである。
【００３３】
具体的には、次の２つの条件が満たされるように、ＵＳＢ差込口３２１の配設位置が選択される。１つめの条件は、操作パネル３００に配置されるコピーキー３０３、設定キー群３０７に含まれる各キー及びジョブキー群３０９に含まれる各キーのうちで、ＵＳＢ差込口３２１に最も近接するソフトウェアキーが操作パネル３００に配置される全てのソフトウェアキーのうちで最も大きなソフトウェアキーであるコピーキー３０３になることである。２つめの条件は、操作パネル８４３に備わるホーム画面ボタン３１１及び電源ボタン３１３のうちで、ＵＳＢ差込口３２１に最も近接するボタンが操作パネル８４３に備わるホーム画面ボタン３１１及び電源ボタン３１３のうちで最も大きなボタンであるホーム画面ボタン３１１になることである。
【００３４】
［第９の実施の形態］
第９の実施の形態では、図１０に示すように、ＵＳＢ差込口３２１にＵＳＢメモリなどのＵＳＢデバイス３３１が挿入されたならば、操作パネル３００に備わるソフトウェアキーのうちで最も大きなソフトウェアキーであるコピーキー３０３の色が通常時の色から他の色に変化する。模様などの他の表示態様が変化するようにしてもよい。
【００３５】
最大サイズのハードウェアキー本体又は周辺部にＬＥＤを配置し、これが光るようにしてもよい。
【００３６】
これは、第１乃至第８の実施の形態及び他の適用可能な実施の形態に適用できる。
【００３７】
［第１０の実施の形態］
第１０の実施の形態では、図１１に示すように、ＵＳＢ差込口３２１にＵＳＢメモリなどのＵＳＢデバイス３３１が挿入されたならば、操作パネル３００に備わるソフトウェアキーのうちで最も大きなソフトウェアキーであるコピーキー３０３に近接した位置に、ＵＳＢ差込口３２１にＵＳＢデバイス３３１が挿入されていることを示すためのアイコンが表示される。アイコンには、例えば、「ＵＳＢ挿入中」という文字によるメッセージを付ける。
【００３８】
アイコンの他の表示オブジェクト（ボタン、テキスト、図形など）で代用しても良い。
【００３９】
本実施形態によるＵＳＢ挿入中であることを示すアイコンなどのオブジェクトを表示する場合には、ＵＳＢ差込口を任意の位置に配置してもよい。つまり、第１乃至第９の実施の形態で説明した位置ではない位置にＵＳＢ差込口を配置するようにしてもよい。
【００４０】
［第１１の実施の形態］
第１の実施の形態では、図１２に示すように、ＵＳＢ差込口３２１にＵＳＢメモリなどのＵＳＢデバイス３３１が挿入され、その後、ＵＳＢデバイス３３１に格納されている画像データや文書データに基づいた印刷ジョブが終了したならば、操作パネル３００の中央部に印刷ジョブが終了したことを示すポップアップウィンドウ３１７を表示する。ポップアップウィンドウ３１７には、例えば、「ＵＳＢメモリ中の画像の印刷が終了しました。ＵＳＢメモリを外して下さい。」という文章によるメッセージを付ける。
【００４１】
また、図１２に示すように、このようなポップアップウィンドウ３１７を例えば最も大きなソフトウェアキーであるコピーキー３０３の一部と重ねて表示させれば、利用者がより一層ポップアップウィンドウに気づきやすくなる。特に、重複する領域が広ければ、ソフトウェアキーのポップアップウィンドウにより隠れる領域が広くなるので、隠れる前と隠れた後の差違が大きくなり、利用者は、一層ポップアップウィンドウに気づきやすくなる。
【００４２】
これは、第１乃至第１０の実施の形態及び他の適用可能な実施の形態に適用できる。
【００４３】
［第１２の実施の形態］
第１の実施の形態では、図１３に示すように、ＵＳＢ差込口３２１にＵＳＢメモリなどのＵＳＢデバイス３３１が挿入され、その後、ＵＳＢデバイス３３１に格納されている画像データや文書データに基づいた印刷ジョブが終了したならば、操作パネル３００の中央部に印刷ジョブが終了したことを示す音声メッセージ３３１をスピーカ３４１から出力する。音声メッセージ３３１は、例えば、「ＵＳＢメモリ中の画像の印刷が終了しました。ＵＳＢメモリを外して下さい。」という文章を読み上げたものにする。
【００４４】
図１３に示すように、第１１の実施の形態によるポップアップウィンドウ３１７を表示しても良いし、しなくてもよい。
【００４５】
スピーカ３４１は図１３のように操作パネル８４３に付けてもよく、その際、ユーザがより聞こえやすくなるように、スピーカーの向きが上向きとなるように配置してもよい。
【００４６】
これは、第１乃至第１０の実施の形態及び他の適用可能な実施の形態に適用できる。
【００４７】
［第１３の実施の形態］
第１３の実施の形態においては、図１４に示すように、操作パネル部８４３がその上辺付近を支点としてチルトできるようにする。こうすることにより、操作パネル部８４３やこれに備わるＵＳＢ差込口３２１に埃や塵がたまることを防止することができる。
【００４８】
これは、第１乃至第１２の実施の形態及び他の適用可能な実施の形態に適用できる。
【００４９】
［第１４の実施の形態］
第１４の実施の形態では、図１５に示すように、ＵＳＢ差込口３２１を入り口としたＵＳＢ格納部３２３が操作パネル部８４３の内部において側面から見て斜め下方に伸延するようにＵＳＢ格納部３２３を配置する。これにより、図１に示すように操作パネル８４３を本体８３０を取り付けた状態においては、ＵＳＢ格納部３２３が鉛直方向に近い方向に伸延するようになる。
【００５０】
これは、第１乃至第１３の実施の形態及び他の適用可能な実施の形態に適用できる。
【００５１】
［第１５の実施の形態］
第１５の実施の形態によるタッチパネル３００の正面、前側面及び右側面は、図１６に示すようになる。
【００５２】
第１４の実施の形態においては、操作パネル８４３の正面において、タッチパネル３００の周辺部にＵＳＢ差込口３２１が配設されている。特に、次の２つの条件が満たされるように、ＵＳＢ差込口３２１の配設位置が選択される。１つめの条件は、タッチパネル３００に配置される全てのソフトウェアキーのうちで、ＵＳＢ差込口３２１に最も近接するソフトウェアキーがタッチパネル３００に配置される全てのソフトウェアキーのうちで最も大きなソフトウェアキーになることである。２つめの条件は、タッチパネル３００におけるＵＳＢ差込口３２１に最も近接するソフトウェアキーとプレビュー領域３０２との間の位置に近接したタッチパネル３００の周辺部にＵＳＢ差込口３２１があることである。
【００５３】
具体的には、次の２つの条件が満たされるように、ＵＳＢ差込口３２１の配設位置が選択される。１つめの条件は、タッチパネル３００に配置される全てのソフトウェアキーのうちで、ＵＳＢ差込口３２１に最も近接するソフトウェアキーがタッチパネル３００に配置される全てのソフトウェアキーのうちで最も大きなソフトウェアキーであるコピーキー３０３になることである。２つめの条件は、タッチパネル３００におけるＵＳＢ差込口３２１に最も近接するソフトウェアキーであるコピーキー３０３とプレビュー領域３０２との間の位置に近接したタッチパネル３００の周辺部にＵＳＢ差込口３２１があることである。
【００５４】
［第１６の実施の形態］
第１６の実施の形態によるタッチパネル３００の正面、前側面及び右側面は、図１７に示すようになる。
【００５５】
第１５の実施の形態においては、操作パネル８４３の正面において、タッチパネル３００の周辺部にＵＳＢ差込口３２１が配設されている。特に、次の２つの条件が満たされるように、ＵＳＢ差込口３２１の配設位置が選択される。１つめの条件は、タッチパネル３００に配置される全てのソフトウェアキーのうちで、ＵＳＢ差込口３２１に最も近接するソフトウェアキーがタッチパネル３００に配置される全てのソフトウェアキーのうちで最も大きなソフトウェアキーになることである。２つめの条件は、タッチパネル３００におけるＵＳＢ差込口３２１に最も近接するソフトウェアキーとプレビュー領域３０２との間の位置にＵＳＢ差込口３２１があることである。
【００５６】
具体的には、次の２つの条件が満たされるように、ＵＳＢ差込口３２１の配設位置が選択される。１つめの条件は、タッチパネル３００に配置される全てのソフトウェアキーのうちで、ＵＳＢ差込口３２１に最も近接するソフトウェアキーがタッチパネル３００に配置される全てのソフトウェアキーのうちで最も大きなソフトウェアキーであるコピーキー３０３になることである。２つめの条件は、タッチパネル３００におけるＵＳＢ差込口３２１に最も近接するソフトウェアキーであるコピーキー３０３とプレビュー領域３０２との間の位置にＵＳＢ差込口３２１があることである。
【００５７】
［第１７の実施の形態］
第１７の実施の形態によるタッチパネル３００の正面、前側面及び右側面は、図１８に示すようになる。
【００５８】
第１６の実施の形態においては、操作パネル８４３の正面において、タッチパネル３００の周辺部にＵＳＢ差込口３２１が配設されている。特に、タッチパネル３００におけるプレビュー領域３０２に近接したタッチパネル３００の周辺部にＵＳＢ差込口３２１があるようにＵＳＢ差込口３２１の配設位置が調整される。
【００５９】
［第１８の実施の形態］
第１８の実施の形態では、図１９又は図２０に示すように、本体８３０の前面上方中央部から上面前方中央部にかけて操作パネル８４３を配置する。
【００６０】
図１９に示す例においては、操作パネル８４３は、排紙部８４５の入り口の一部に差し掛かっているが、図２０に示す例においては、操作パネル８４３は、排紙部８４５の入り口の一部に差し掛かっていない。
【００６１】
本実施形態によれば、排紙部８４５と水平方向において重なった位置に操作パネル８４３を配置することになるので、ユーザは、印刷されたコピー用紙を取り出す際に操作パネル８４３に配置されたＵＳＢ差込口３２１に差し込まれているｕｓｂデバイスを視認しやすくなる。
【００６２】
［第１９の実施の形態］
第１９の実施の形態では、図２１又は図２２に示すように、本体８３０の前面上方中央部に操作パネル８４３を配置し、上面前方中央部に操作ボタンを配置する。
【００６３】
図２１に示す例においては、操作パネル８４３は、排紙部８４５の入り口の一部に差し掛かっているが、図２２に示す例においては、操作パネル８４３は、排紙部８４５の入り口の一部に差し掛かっていない。
【００６４】
本実施形態によれば、排紙部８４５と水平方向において重なった位置に操作パネル８４３を配置することになるので、ユーザは、印刷されたコピー用紙を取り出す際に操作パネル８４３に配置されたＵＳＢ差込口３２１に差し込まれているｕｓｂデバイスを視認しやすくなる。
【００６５】
［第２０の実施の形態］
第２０の実施の形態においては、図２３に示すように、ＵＳＢ差込口３２１の周辺に設けられたＵＳＢ差込口周辺部３２５の色を操作パネル８４３の正面のうちタッチパネル３００以外の部分の色と異なった色にする。図２３の例では、ＵＳＢ差込口周辺部の色を操作パネル８４３の正面のうちタッチパネル３００以外の部分の色よりも明るい色にしているが、逆に暗い色にしてもよいし、異なった色調の色にしてもよい。
【００６６】
これは、第１乃至１９の実施の形態のうちの適用可能な実施の形態に適用できる。
【００６７】
［第２１の実施の形態］
第２１の実施の形態においては、図２４に示すように、ＵＳＢ差込口３２１の周辺に設けられたＵＳＢ差込口周辺部３２５の色を操作パネル８４３の正面のうちタッチパネル３００以外の部分の色と異なった色にする。
【００６８】
また、特に、ＵＳＢ差込口周辺部３２５の色を本体８３０の色と同一にする。ここで、操作パネル８４３の正面のうちタッチパネル３００以外の部分の色は、本体８３０の色とは異なっている。
【００６９】
これは、第１乃至１９の実施の形態のうちの適用可能な実施の形態に適用できる。
【００７０】
［第２２の実施の形態］
第２２の実施の形態においては、図２５に示すように、凹部３２７を設け、そこにＵＳＢ差込口３２１を配設する。
【００７１】
これは、第１乃至２１の実施の形態のうちの適用可能な実施の形態に適用できる。
【００７２】
［第２３の実施の形態］
図９に示す第８の実施の形態においては、タッチパネル３００にある最大サイズのソフトウェアキーであるコピーキー３０３の位置のタッチパネル３００の辺への鉛直投影位置と操作パネル８４３にある最大サイズのハードウェアボタンであるホーム画面ボタン３１１の位置の間の操作パネル８４３上の位置にＵＳＢ差込口３２１を配置したが、このような位置を図２６の上下方向の矢印で示すように、所定範囲で異ならせてもよい。つまり、タッチパネル３００にある最大サイズのソフトウェアキーであるコピーキー３０３の位置のタッチパネル３００の辺への鉛直投影位置と操作パネル８４３にある最大サイズのハードウェアボタンであるホーム画面ボタン３１１の位置の間の操作パネル８４３上の位置にあるという条件を満たす限り、ＵＳＢ差込口３２１を配置する操作パネル８４３上の位置を自由に選ぶことができる。
【００７３】
これは、第１乃至２２の実施の形態のうちの適用可能な実施の形態に適用できる。
【００７４】
［第２４の実施の形態］
図１６に示す第１４の実施の形態においては、タッチパネル３００にある最大サイズのソフトウェアキーであるコピーキー３０３とプレビュー領域３０２の間の位置のタッチパネル３００の辺への鉛直投影位置に近接する操作パネル８４３上の位置にＵＳＢ差込口３２１を配置したが、このような位置を図２７の上下方向の矢印で示すように、所定範囲で異ならせてもよい。つまり、タッチパネル３００にある最大サイズのソフトウェアキーであるコピーキー３０３とプレビュー領域３０２の間の位置のタッチパネル３００の辺への鉛直投影位置に近接する操作パネル８４３上の位置にあるという条件を満たす限り、ＵＳＢ差込口３２１を配置する操作パネル８４３上の位置を自由に選ぶことができる。
【００７５】
これは、第１乃至２２の実施の形態のうちの適用可能な実施の形態に適用できる。
【００７６】
［第２５の実施の形態］
図１７に示す第１５の実施の形態においては、タッチパネル３００にある最大サイズのソフトウェアキーであるコピーキー３０３とプレビュー領域３０２の間の位置にＵＳＢ差込口３２１を配置したが、このような位置を図２８の上下方向の矢印で示すように、所定範囲で異ならせてもよい。つまり、タッチパネル３００にある最大サイズのソフトウェアキーであるコピーキー３０３とプレビュー領域３０２の間の位置にあるという条件を満たす限り、ＵＳＢ差込口３２１を配置する操作パネル８４３上の位置を自由に選ぶことができる。
【００７７】
これは、第１乃至２２の実施の形態のうちの適用可能な実施の形態に適用できる。
【００７８】
［第２６の実施の形態］
第２６の実施の形態では、図２９に示すように、操作パネル８４３の正面において、タッチパネル３００を挟んで最大サイズのハードウェアボタンであるコピーキー３０３の左右方向反対側の位置にＵＳＢ差込口３２１を配置する。特に、図２９の例では、操作パネル８４３の正面においてコピーキー３０３と同一の高さの位置にＵＳＢ差込口３２１を配置する。
【００７９】
［第２７の実施の形態］
第２７の実施の形態は、第１乃至第２５の実施の形態による原稿読取装置を含む複合機８００に関するものである。図３０及び図３１は、複合機８００の構成などを示すものである。
【００８０】
図３０及び図３１に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００８１】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００８２】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図３１に示す構成要素の他に、図３１は示されないが図３０に示される構成要素も含む。また、図３０に示すように、読取装置本体８２２には、原稿台８２６が備わる。
【００８３】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００８４】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００８５】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００８６】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００８７】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００８８】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナ７４３Ｙと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００８９】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００９０】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図３０の紙面の手前側に対応し、裏面側は図３０の背面側に対応する。
【００９１】
表示部８４５は、タッチパネル３００の表示領域３０２を含んでいる。また、表示部８４５は、他の表示領域を含んでいてもよい。
【００９２】
入力部８４７は、タッチパネル３００のタッチ領域３０１を含んでいる。また、入力部８４７は、入力ボタンなどを含んでいてもよい。
【００９３】
図３１に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【００９４】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００９５】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００９６】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００９７】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００９８】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００９９】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１００】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１０１】
本発明は、複合機に利用することができる。また、本発明は、ＵＳＢ差込口を有する機器に利用することができる。
【符号の説明】
【０１０２】
３００  タッチパネル
３０１  表示領域
３０２  タッチ領域
３０３  コピーキー
３０５  プレビュー領域
３０７  設定キー群
３０９  ジョブキー群
３１１  ホーム画面ボタン
３１３  電源ボタン
３２１  ＵＳＢ差込口
３２３  ＵＳＢ格納部
３２５  ＵＳＢ差込口周辺部
３２７  凹部
３３１  ＵＳＢデバイス
３４１  スピーカ
８３０  本体
８４３  操作パネル部
８４５  排紙部
【図１】
2020136934.tif 000003
【図２】
2020136934.tif 000004
【図３】
2020136934.tif 000005
【図４】
2020136934.tif 000006
【図５】
2020136934.tif 000007
【図６】
2020136934.tif 000008
【図７】
2020136934.tif 000009
【図８】
2020136934.tif 000010
【図９】
2020136934.tif 000011
【図１０】
2020136934.tif 000012
【図１１】
2020136934.tif 000013
【図１２】
2020136934.tif 000014
【図１３】
2020136934.tif 000015
【図１４】
2020136934.tif 000016
【図１５】
2020136934.tif 000017
【図１６】
2020136934.tif 000018
【図１７】
2020136934.tif 000019
【図１８】
2020136934.tif 000020
【図１９】
2020136934.tif 000021
【図２０】
2020136934.tif 000022
【図２１】
2020136934.tif 000023
【図２２】
2020136934.tif 000024
【図２３】
2020136934.tif 000025
【図２４】
2020136934.tif 000026
【図２５】
2020136934.tif 000027
【図２６】
2020136934.tif 000028
【図２７】
2020136934.tif 000029
【図２８】
2020136934.tif 000030
【図２９】
2020136934.tif 000031
【図３０】
2020136934.tif 000032
【図３１】
2020136934.tif 000033